(57)【要約】【課題】  複数に分割された分割コンテンツを元の１つの分割前コンテンツに完全に復元し得るコンテンツ分割装置、コンテンツ復元装置、及びコンテンツ分割方法、コンテンツ復元方法、並びにプログラムを提供する。【解決手段】  コンテンツ記録媒体１０に録画された一つの分割前コンテンツを複数の分割コンテンツに分割する。分割前コンテンツの分割前管理情報を保存する管理情報記録部３０と、分割前コンテンツの分割時に、コンテンツ記録媒体１０に記録されている分割前コンテンツの分割前管理情報を管理情報記録部３０に記録する管理情報処理部２３とが設けられている。【選択図】  図１
2006338779.tif 000002
【特許請求の範囲】
【請求項１】
記録媒体に録画された一つの分割前コンテンツを複数の分割コンテンツに分割するコンテンツ分割装置において、
上記分割前コンテンツの管理情報を保存する管理情報記録手段と、
分割前コンテンツの分割時に、記録媒体に記録されている分割前コンテンツの管理情報を上記管理情報記録手段に記録する管理情報処理手段とが設けられていることを特徴とするコンテンツ分割装置。
【請求項２】
前記管理情報処理手段は、分割前コンテンツの管理情報と分割コンテンツの管理情報との全ての管理情報に対して同一の識別ＩＤを、該管理情報に併せて前記管理情報記録手段に記録することを特徴とする請求項１記載のコンテンツ分割装置。
【請求項３】
複数に分割された分割コンテンツを復元するコンテンツ復元装置において、
上記分割前コンテンツの管理情報を記録した管理情報記録手段と、
分割コンテンツの復元時に、上記管理情報記録手段に記録された分割前コンテンツの管理情報に基づいて分割コンテンツの復元可能性を判断した後、上記分割コンテンツを復元する復元制御手段とが設けられていることを特徴とするコンテンツ復元装置。
【請求項４】
前記復元制御手段は、分割前コンテンツの管理情報と同じ識別ＩＤを有する分割コンテンツを１つ又は複数の記録媒体から検索した後、上記分割コンテンツを復元することを特徴とする請求項３記載のコンテンツ復元装置。
【請求項５】
前記復元制御手段は、
分割前コンテンツの管理情報に記された時間情報と分割コンテンツの管理情報に記された時間情報とに基づいて、上記分割コンテンツを復元することを特徴とする請求項３記載のコンテンツ復元装置。
【請求項６】
前記復元制御手段は、
前記分割コンテンツを復元するときに、１つ又は複数の分割コンテンツが欠落しているかどうかを判断する判断手段と、
上記判断手段により、１つ又は複数の分割コンテンツが欠落していると判断されたときに、該欠落部分をダミーコンテンツにて補間する補間手段とを備えていることを特徴とする請求項３記載のコンテンツ復元装置。
【請求項７】
前記復元制御手段は、
前記分割コンテンツを復元するときに、１つ又は複数の分割コンテンツが欠落しているかどうかを判断する判断手段と、
上記判断手段により、１つ又は複数の分割コンテンツが欠落していると判断されたときに、該欠落部分を無視することにより、時間的に後ろに位置する分割コンテンツを前詰めする前詰め手段とを備えていることを特徴とする請求項３記載のコンテンツ復元装置。
【請求項８】
記録媒体に録画された一つの分割前コンテンツを編集操作により複数の分割コンテンツに分割するコンテンツ分割方法において、
上記分割前コンテンツの管理情報を保存し、
上記分割前コンテンツの分割時に、記録媒体に記録されている分割前コンテンツの管理情報を上記管理情報記録手段に記録することを特徴とするコンテンツ分割方法。
【請求項９】
複数に分割された分割コンテンツを復元するコンテンツ復元方法において、
分割コンテンツの復元時に、予め管理情報記録手段に記録された分割前コンテンツの管理情報に基づいて分割コンテンツの復元可能性を判断した後、上記分割コンテンツを復元することを特徴とするコンテンツ復元方法。
【請求項１０】
請求項１又は２記載のコンテンツ分割装置を動作させるためのコンテンツ分割プログラムであって、
コンピュータを上記管理情報記録手段、及び管理情報処理手段として機能させるためのコンテンツ分割プログラム。
【請求項１１】
請求項３〜７のいずれか１項に記載のコンテンツ復元装置を動作させるためのコンテンツ復元プログラムであって、
コンピュータを上記管理情報記録手段、復元制御手段、判断手段、補間手段、及び前詰め手段として機能させるためのコンテンツ復元プログラム。
【発明の詳細な説明】
【技術分野】
【０００１】
本発明は、編集により分割された複数のコンテンツを１つのコンテンツに復元するコンテンツ分割装置、コンテンツ復元装置、及びコンテンツ分割方法、コンテンツ復元方法、並びにプログラムに関するものである。
【背景技術】
【０００２】
近年、ハードディスク、光ディスク等の記録媒体に映像音声信号を記録する技術が発展し、これらの記録媒体を利用したレコーダーの商品化が盛んに行われている。このようなレコーダーでテレビ放送を録画する場合には、映像音声信号であるコンテンツと共に、コンテンツを再生・編集するための管理情報が記録媒体に記録される。この管理情報には、コンテンツの開始時間、終了時間、チャンネル情報、及び編集に必要となる情報等が含まれている。レコーダーは、この管理情報を利用することにより、コンテンツを簡単に再生・編集することができる。
【０００３】
一方、テレビ放送では、テレビ局にてアナログからデジタルへの転換が行われ、高画質なデジタル放送が放送されるようになっている。このようなデジタル放送では、放送されるコンテンツの複製を制限する制御信号がコンテンツに付加されており、デジタル放送のコンテンツの多くは「一回だけコピー可能」の制御信号が付加されている。
【０００４】
「一回だけコピー可能」の制御では、放送されたコンテンツをレコーダーに録画することが許可されているものの、一度録画したコンテンツを他の記録媒体に複製することが禁止されている。このため、「一回だけコピー可能」の制御信号が付加されたコンテンツの格納場所を変更する場合は、ムーブが行われる。コンテンツのムーブでは、コンテンツが記録された記録媒体から他の記録媒体にコンテンツの移動する場合に、移動先の記録媒体にコンテンツの記録を行った後に、移動元の記録媒体にあるコンテンツが消去される。このような方法により、コンテンツを複製することなく、コンテンツの記録媒体間の移動を可能としている。
【０００５】
ここで、長時間録画したコンテンツをユーザーが視聴する場合、ユーザーがコンテンツの一部のシーンのみを他の記録媒体にムーブして視聴しようとすることが考えられる。この場合、図８（ａ）に示すように、コンテンツ１０１はムーブしたい部分とその他の部分とに分割され、コンテンツ記録媒体１０２へは必要な部分のみコンテンツデータのムーブが行われる。この時、元のコンテンツ１０１は一部の区間が消去されているため、コンテンツ１１０全体を視聴することができなくなっている。
【０００６】
そこで、コンテンツ１０１全体を視聴するために、図８（ｂ）に示すように、ユーザーがムーブした分割コンテンツ１０１ａの視聴後に、この分割コンテンツ１０１ａを再度元のコンテンツ記録媒体１０にムーブして、コンテンツ１０１の復元を試みることが考えられる。
【０００７】
このように、複数の分割コンテンツ１０１ａを１つのコンテンツ１０１に復元する場合、管理情報を利用することによって、複数の分割コンテンツ１０１ａをあたかも１つのコンテンツ１０１であるように再生することは可能である。
【特許文献１】特開２００１−１６７５３０号公報（平成１３年６月２２日公開）
【特許文献２】特開２００４−１９２７８５号公報（平成１６年７月８日公開）
【発明の開示】
【発明が解決しようとする課題】
【０００８】
しかしながら、上記従来のコンテンツ分割装置及びコンテンツ復元装置では、複数の分割コンテンツ１０１ａからなるあたかも１つのコンテンツ１０１自身は分割されたままであるため、コンテンツ１０１に切れ目１０３が生じている。また、このような管理情報１０４は、録画時の管理情報１０５とは異なっているため完全な復元とは言い難い。このため、このコンテンツ１０１に対する再生・編集処理等の扱いが複雑となるという問題点を有している。
【０００９】
本発明は、上記従来の問題点に鑑みなされたものであって、その目的は、複数に分割された分割コンテンツを元の１つの分割前コンテンツに完全に復元し得るコンテンツ分割装置、コンテンツ復元装置、及びコンテンツ分割方法、コンテンツ復元方法、並びにプログラム提供することにある。
【課題を解決するための手段】
【００１０】
本発明のコンテンツ分割装置は、上記課題を解決するために、記録媒体に録画された一つの分割前コンテンツを複数の分割コンテンツに分割するコンテンツ分割装置において、上記分割前コンテンツの管理情報を保存する管理情報記録手段と、分割前コンテンツの分割時に、記録媒体に記録されている分割前コンテンツの管理情報を上記管理情報記録手段に記録する管理情報処理手段とが設けられていることを特徴としている。
【００１１】
また、本発明のコンテンツ分割方法は、上記課題を解決するために、記録媒体に録画された一つの分割前コンテンツを編集操作により複数の分割コンテンツに分割するコンテンツ分割方法において、上記分割前コンテンツの管理情報を保存し、上記分割前コンテンツの分割時に、記録媒体に記録されている分割前コンテンツの管理情報を上記管理情報記録手段に記録することを特徴としている。
【００１２】
上記の発明によれば、管理情報処理手段は、例えば編集操作による分割前コンテンツの分割時に、記録媒体に記録されている分割前コンテンツの管理情報を管理情報記録手段に記録する。したがって、編集等により分割前コンテンツが分割される際に、分割前コンテンツの分割前管理情報を保存しておくことにより、分割コンテンツを復元することができる。
【００１３】
この結果、複数に分割された分割コンテンツを元の１つの分割前コンテンツに完全に復元し得るコンテンツ分割装置及びコンテンツ分割方法を提供することができる。
【００１４】
本発明のコンテンツ分割装置では、前記管理情報処理手段は、分割前コンテンツの管理情報と分割コンテンツの管理情報との全ての管理情報に対して同一の識別ＩＤを、該管理情報に併せて前記管理情報記録手段に記録することが好ましい。
【００１５】
これにより、管理情報記録手段には、分割前コンテンツの管理情報と分割コンテンツの管理情報との全ての管理情報に対して同一の識別ＩＤが付加される。したがって、識別ＩＤに基づいて、分割前コンテンツと同一内容の分割コンテンツを容易に探すことができる。
【００１６】
本発明のコンテンツ復元装置は、上記課題を解決するために、複数に分割された分割コンテンツを復元するコンテンツ復元装置において、上記分割前コンテンツの管理情報を記録した管理情報記録手段と、分割コンテンツの復元時に、上記管理情報記録手段に記録された分割前コンテンツの管理情報に基づいて分割コンテンツの復元可能性を判断した後、上記分割コンテンツを復元する復元制御手段とが設けられていることを特徴としている。
【００１７】
本発明のコンテンツ復元方法は、上記課題を解決するために、複数に分割された分割コンテンツを復元するコンテンツ復元方法において、分割コンテンツの復元時に、予め管理情報記録手段に記録された分割前コンテンツの管理情報に基づいて分割コンテンツの復元可能性を判断した後、上記分割コンテンツを復元することを特徴としている。
【００１８】
上記の発明によれば、復元制御手段は、分割コンテンツの復元時に、上記管理情報記録手段に記録された分割前コンテンツの管理情報に基づいて分割コンテンツの復元可能性を判断した後、上記分割コンテンツを復元する。したがって、編集等により分割前コンテンツが分割される際に、分割前コンテンツの分割前管理情報を保存しておくことにより、分割コンテンツを復元することができる。
【００１９】
この結果、複数に分割された分割コンテンツを元の１つの分割前コンテンツに完全に復元し得るコンテンツ復元装置及びコンテンツ復元方法を提供することができる。
【００２０】
本発明のコンテンツ復元装置では、前記復元制御手段は、分割前コンテンツの管理情報と同じ識別ＩＤを有する分割コンテンツを１つ又は複数の記録媒体から検索した後、上記分割コンテンツを復元することが好ましい。
【００２１】
これにより、分割前コンテンツの管理情報と同じ識別ＩＤを有する分割コンテンツを１つ又は複数の記録媒体から検索することにより、この識別ＩＤに基づいて、分割前コンテンツと同一内容の分割コンテンツを容易に探すことができる。
【００２２】
また、本発明のコンテンツ復元装置では、前記復元制御手段は、分割前コンテンツの管理情報に記された時間情報と分割コンテンツの管理情報に記された時間情報とに基づいて、上記分割コンテンツを復元することが好ましい。
【００２３】
これにより、分割前コンテンツの管理情報に記された時間情報と分割コンテンツの管理情報に記された時間情報とは一致するので、確実にかつ容易に上記分割コンテンツを復元することができる。
【００２４】
また、本発明のコンテンツ復元装置では、前記復元制御手段は、前記分割コンテンツを復元するときに、１つ又は複数の分割コンテンツが欠落しているかどうかを判断する判断手段と、上記判断手段により、１つ又は複数の分割コンテンツが欠落していると判断されたときに、該欠落部分をダミーコンテンツにて補間する補間手段とを備えていることが好ましい。
【００２５】
これにより、判断手段により、１つ又は複数の分割コンテンツが欠落していると判断されたときに、補間手段は、該欠落部分をダミーコンテンツにて補間する。したがって、分割コンテンツが欠落していても、ダミーコンテンツに置き換えることができる。
【００２６】
また、本発明のコンテンツ復元装置では、前記復元制御手段は、前記分割コンテンツを復元するときに、１つ又は複数の分割コンテンツが欠落しているかどうかを判断する判断手段と、上記判断手段により、１つ又は複数の分割コンテンツが欠落していると判断されたときに、該欠落部分を無視することにより、時間的に後ろに位置する分割コンテンツを前詰めする前詰め手段とを備えていることを特徴としている。
【００２７】
これにより、判断手段により、１つ又は複数の分割コンテンツが欠落していると判断されたときに、前詰め手段は、該欠落部分を無視することにより、時間的に後ろに位置する分割コンテンツを前詰めする。したがって、分割コンテンツが欠落していても、前詰めして再生することができる。
【００２８】
また、本発明のコンテンツ分割プログラムは、上記課題を解決するために、上記コンテンツ分割装置を動作させるためのコンテンツ分割プログラムであって、コンピュータを上記管理情報記録手段、及び管理情報処理手段として機能させるためのプログラムである。
【００２９】
また、本発明の記録媒体は、上記課題を解決するために、上記コンテンツ分割プログラムが記録されたコンピュータ読取り可能な記録媒体である。
【００３０】
上記の発明によれば、上記コンテンツ分割装置の管理情報記録手段、及び管理情報処理手段を、コンテンツ分割プログラムによりコンピュータ上で実行させることができる。さらに、上記コンテンツ分割プログラムをコンピュータ読取り可能な記録媒体に記憶させることにより、任意のコンピュータ上で上記コンテンツ分割プログラムを実行させることができる。
【００３１】
また、本発明のコンテンツ復元プログラムは、上記課題を解決するために、上記コンテンツ復元装置を動作させるためのコンテンツ復元プログラムであって、コンピュータを上記管理情報記録手段、復元制御手段、判断手段、補間手段、及び前詰め手段として機能させるためのプログラムである。
【００３２】
上記の発明によれば、上記コンテンツ復元装置の管理情報記録手段、復元制御手段、判断手段、補間手段、及び前詰め手段を、コンテンツ復元プログラムによりコンピュータ上で実行させることができる。さらに、上記コンテンツ復元プログラムをコンピュータ読取り可能な記録媒体に記憶させることにより、任意のコンピュータ上で上記コンテンツ復元プログラムを実行させることができる。
【発明の効果】
【００３３】
本発明のコンテンツ分割装置は、以上のように、分割前コンテンツの管理情報を保存する管理情報記録手段と、分割前コンテンツの分割時に、記録媒体に記録されている分割前コンテンツの管理情報を上記管理情報記録手段に記録する管理情報処理手段とが設けられているものである。
【００３４】
また、本発明のコンテンツ分割方法は、以上のように、分割前コンテンツの管理情報を保存し、上記分割前コンテンツの分割時に、記録媒体に記録されている分割前コンテンツの管理情報を上記管理情報記録手段に記録する方法である。
【００３５】
それゆえ、編集等により分割前コンテンツが分割される際に、分割前コンテンツの分割前管理情報を保存しておくことにより、分割コンテンツを復元することができる。この結果、複数に分割された分割コンテンツを元の１つの分割前コンテンツに完全に復元し得るコンテンツ分割装置及びコンテンツ分割方法を提供することができるという効果を奏する。
【００３６】
本発明のコンテンツ復元装置は、以上のように、分割前コンテンツの管理情報を記録した管理情報記録手段と、分割コンテンツの復元時に、上記管理情報記録手段に記録された分割前コンテンツの管理情報に基づいて分割コンテンツの復元可能性を判断した後、上記分割コンテンツを復元する復元制御手段とが設けられているものである。
【００３７】
本発明のコンテンツ復元方法は、以上のように、分割コンテンツの復元時に、予め管理情報記録手段に記録された分割前コンテンツの管理情報に基づいて分割コンテンツの復元可能性を判断した後、上記分割コンテンツを復元する方法である。
【００３８】
それゆえ、編集等により分割前コンテンツが分割される際に、分割前コンテンツの分割前管理情報を保存しておくことにより、分割コンテンツを復元することができる。この結果、複数に分割された分割コンテンツを元の１つの分割前コンテンツに完全に復元し得るコンテンツ復元装置及びコンテンツ復元方法を提供することができるという効果を奏する。
【００３９】
また、本発明のコンテンツ分割プログラムは、以上のように、上記コンテンツ分割装置を動作させるためのコンテンツ分割プログラムであって、コンピュータを上記管理情報記録手段、及び管理情報処理手段として機能させるためのプログラムである。
【００４０】
それゆえ、上記コンテンツ分割装置の管理情報記録手段、及び管理情報処理手段を、コンテンツ分割プログラムによりコンピュータ上で実行させることができる。さらに、上記コンテンツ分割プログラムをコンピュータ読取り可能な記録媒体に記憶させることにより、任意のコンピュータ上で上記コンテンツ分割プログラムを実行させることができるという効果を奏する。
【００４１】
また、本発明のコンテンツ復元プログラムは、以上のように、上記コンテンツ復元装置を動作させるためのコンテンツ復元プログラムであって、コンピュータを上記管理情報記録手段、復元制御手段、判断手段、補間手段、及び前詰め手段として機能させるためのプログラムである。
【００４２】
それゆえ、上記コンテンツ復元装置の管理情報記録手段、復元制御手段、判断手段、補間手段、及び前詰め手段を、コンテンツ復元プログラムによりコンピュータ上で実行させることができる。さらに、上記コンテンツ復元プログラムをコンピュータ読取り可能な記録媒体に記憶させることにより、任意のコンピュータ上で上記コンテンツ復元プログラムを実行させることができるという効果を奏する。
【発明を実施するための最良の形態】
【００４３】
本発明の一実施形態について図１ないし図７に基づいて説明すれば、以下の通りである。
【００４４】
図１（ａ）は、本発明の実施形態としてのコンテンツ分割・復元装置の構成例である。
【００４５】
すなわち、本実施の形態のコンテンツ分割・復元装置は、同図（ａ）に示すように、記録媒体としてのコンテンツ記録媒体１０、コンテンツ編集部２０、管理情報記録手段としての管理情報記録部３０、及び復元制御手段としての復元制御部４０の主要な機能ブロックから構成される。
【００４６】
コンテンツ記録媒体１０は、コンテンツ及び管理情報が記録される記録媒体である。この記録媒体には、例えば、ハードディスク又はリムーバブル記録媒体等が含まれる。
【００４７】
コンテンツ編集部２０は、ユーザー命令にしたがって、コンテンツ記録媒体１０に貯蔵されたコンテンツに対する編集処理を行う。編集処理には、コンテンツ分割、コンテンツ結合及びコンテンツ消去が含まれる。
【００４８】
管理情報記録部３０は、コンテンツの分割処理において、分割前コンテンツの分割前管理情報を保存するための記録媒体である。なお、管理情報記録部３０は、コンテンツ記録媒体１０のようにコンテンツ自身を記録する記録媒体を利用してもよいし、独立した記録媒体を利用してもよい。例えば、ハードディスク、ＣＤ−ＲＷ、ＤＶＤ−ＲＷ、Ｂｌｕｅ−ｒａｙ等の記録媒体、並びにフラッシュメモリ、メモリースティック、及びＳＤカード等の半導体メモリ型の記録媒体を利用することができる。また、コンテンツ編集部２０と管理情報記録部３０とは、直接ケーブル等で接続されていてもよいし、ＬＡＮやネットワーク等を利用して接続されていてもよい。
【００４９】
復元制御部４０は、分割前コンテンツへの復元に必要となる分割コンテンツを特定する。また、分割コンテンツの分割管理情報と管理情報記録部３０に保存されている分割前コンテンツの分割前管理情報とを比較することによって、分割前コンテンツへの復元に必要となる分割コンテンツの有無を調べる。さらに、分割前コンテンツへの復元に必要な分割コンテンツが欠落している場合は、その欠落に関する情報を管理情報記録部３０に保存されている分割前管理情報を利用して生成する。
【００５０】
次に、コンテンツの編集処理を行うコンテンツ編集部２０の内部構成について説明する。図１（ｂ）は、コンテンツ編集部２０の内部構成例である。
【００５１】
すなわち、コンテンツ編集部２０は、コンテンツ制御部２１、コンテンツ処理部２２、及び管理情報処理手段としての管理情報処理部２３から構成される。
【００５２】
コンテンツ制御部２１は、ユーザー命令にしたがい、コンテンツ記録媒体１０から編集対象となる分割前コンテンツ又は分割コンテンツの情報を取得し、コンテンツ処理部２２や管理情報処理部２３の編集処理に必要な情報及び編集命令を、コンテンツ処理部２２及び管理情報処理部２３にそれぞれ送る。また、コンテンツ制御部２１は、分割コンテンツの復元時には復元に必要な分割コンテンツの分割管理情報を復元制御部４０に送る。
【００５３】
コンテンツ処理部２２は、コンテンツ制御部２１から与えられた分割前コンテンツ又は分割コンテンツに対する処理を行う。この処理には、コンテンツ分割及びコンテンツ結合が含まれる。
【００５４】
管理情報処理部２３は、コンテンツ制御部２１から与えられた分割前管理情報の処理を行う。この処理は、コンテンツ分割に伴う分割管理情報の作成やコンテンツ結合に伴う分割前管理情報の編集が含まれる。
【００５５】
以下、コンテンツの分割の処理例について説明する。
【００５６】
図２は、コンテンツ分割・復元装置におけるコンテンツの分割処理に伴う各ブロック間の情報及びデータの伝達処理を表している。
【００５７】
すなわち、コンテンツ分割処理は、コンテンツ記録媒体１０、管理情報記録部３０、コンテンツ制御部２１、コンテンツ処理部２２、及び管理情報処理部２３を利用することによって行われる。
【００５８】
コンテンツ記録媒体１０に記録されたコンテンツからある特定のコンテンツの分割が行われる場合は、ユーザー命令により、分割対象のコンテンツにおけるコンテンツ情報及び分割位置情報がコンテンツ制御部２１に送られる。コンテンツ情報とは、分割対象のコンテンツを特定するための情報であり、コンテンツ名やコンテンツ記録場所情報等が利用できる。また、分割位置情報は、分割対象のコンテンツの分割位置を特定するための情報であり、当該コンテンツのコンテンツ開始時間からコンテンツ終了時間までの間の時間情報が利用できる。
【００５９】
コンテンツ制御部２１は、上記コンテンツ情報に基づいて、分割対象のコンテンツとその分割対象のコンテンツの管理情報とを分割前コンテンツと分割前管理情報としてコンテンツ記録媒体１０から取り出す。その後、コンテンツ制御部２１は、コンテンツ記録媒体１０から取り出した分割前コンテンツ及び分割位置情報を分割命令と共にコンテンツ処理部２２に送る。また、分割前管理情報及び分割位置情報を分割命令と共に管理情報処理部２３に送る。
【００６０】
コンテンツ処理部２２は、分割前コンテンツに対する分割命令に応じて、分割位置情報を基にコンテンツ制御部２１から与えられた分割前コンテンツの分割を行う。その後、分割コンテンツをコンテンツ制御部２１に送る。
【００６１】
管理情報処理部２３は、分割命令に対して、分割前管理情報の分割処理に先立ち、コンテンツ制御部２１から与えられた分割前管理情報を管理情報記録部３０に保存する。この分割前管理情報の保存は、ユーザーがコンテンツ分割後に分割コンテンツの復元を希望する場合にのみ行うこともできるし、分割処理に対して常に自動的に保存することもできる。
【００６２】
ただし、分割前管理情報の保存が行われなかった場合は、後に分割コンテンツを分割前コンテンツの状態に復元することが不可能となる。また、分割前管理情報を管理情報記録部３０に保存する際に、コンテンツ制御部２１は、分割前管理情報内に存在する、コンテンツの作成者が自由に情報を記録できる領域にコンテンツＩＤを記録することができる。さらに、コンテンツＩＤを記録しないこともできる。ただし、既にコンテンツＩＤの記録された分割前管理情報では、コンテンツＩＤの記録を行わない。
【００６３】
このコンテンツＩＤは、管理情報記録部３０に記録した分割前管理情報と分割コンテンツの分割管理情報との対応を明確にするために用いられる。このため、コンテンツ毎に固有の番号、記号及びアルファベット等を使用する。例えば、コンテンツ制御部２１固有のアルファベットとコンテンツ固有の番号とを組み合わせることによって作成されたものや分割前管理情報に記載されている番組情報等の複数の情報を基に作成されたものを用いることができる。
【００６４】
管理情報処理部２３は、分割前管理情報の保存が行われた後に、分割位置情報を基にコンテンツ制御部２１にて与えられた分割前管理情報から、全ての分割コンテンツに対する分割管理情報を作成する。このとき、作成された分割管理情報には、管理情報記録部３０に記録した分割前管理情報と同じコンテンツＩＤが記録される。ただし、管理情報記録部３０に記録した分割前管理情報にコンテンツＩＤが記録されていない場合は、作成された分割管理情報にもコンテンツＩＤの記録を行わない。
【００６５】
分割管理情報の作成は、分割コンテンツの数と同数となるように分割前コンテンツを複製した後、それぞれの分割前管理情報に記録されている分割前コンテンツの開始時間、終了時間及び録画時間等のコンテンツ時間情報がそれぞれの分割コンテンツに適合するように変更することによって行われる。
【００６６】
その後、分割管理情報をコンテンツ制御部２１に送る。
【００６７】
コンテンツ制御部２１は、コンテンツ処理部２２、及び管理情報処理部２３から送られた分割コンテンツ及び分割管理情報をコンテンツ記録媒体１０に記録する。このとき、コンテンツ制御部２１は、分割コンテンツと分割管理情報の一部又は全てをコンテンツ制御部２１に繋げられたコンテンツ記録媒体１０以外の記憶媒体に記録することもできる。
【００６８】
図３は、分割前コンテンツ１を分割コンテンツＡ、分割コンテンツＢ及び分割コンテンツＣの例えば３つのコンテンツに分割したときの図である。
【００６９】
分割前コンテンツ１の分割処理では、管理情報処理部２３によって分割前コンテンツ１の分割に先立ち、分割前管理情報２にコンテンツＩＤが付加され、管理情報記録部３０に保存される。次に、分割前コンテンツ１及び分割前管理情報２の分割がコンテンツ処理部２２及び管理情報処理部２３によりそれぞれ行われ、分割コンテンツＡ、分割コンテンツＢ及び分割コンテンツＣの３つのコンテンツが作成される。このとき、これらに対応する分割管理情報ａ、分割管理情報ｂ及び分割管理情報ｃには、分割前管理情報２と同様のコンテンツＩＤがそれぞれ付加されている。
【００７０】
次に、本実施の形態のコンテンツ分割・復元装置における、分割コンテンツを復元する復元処理例について説明する。
【００７１】
図４は、分割コンテンツの復元処理に伴う各ブロック間の情報及びデータの伝達処理を表している。
【００７２】
分割コンテンツの復元処理は、コンテンツ記録媒体１０、管理情報記録部３０、復元制御部４０、コンテンツ制御部２１、コンテンツ処理部２２、及び管理情報処理部２３を利用することにより行われる。
【００７３】
分割コンテンツを分割前コンテンツへ復元する場合は、ユーザー命令により、コンテンツ情報がコンテンツ制御部２１に送られる。コンテンツ情報とは、管理情報記録部３０に記録された分割前管理情報の中から、復元したい分割前コンテンツの分割前管理情報を決定するための情報である。このコンテンツ情報は、分割前管理情報のファイル名等が利用される。
【００７４】
コンテンツ制御部２１は、ユーザー命令により送られてきたコンテンツ情報を基に、管理情報記録部３０から分割前管理情報を取得する。次に、この分割前管理情報を復元制御部４０に送る。
【００７５】
復元制御部４０は、コンテンツ記録媒体１０に記録された分割管理情報を検索し、分割前管理情報に記載されているコンテンツＩＤと同じコンテンツＩＤを持つ全ての分割管理情報を取得する。ただし、分割管理情報にコンテンツＩＤが記載されていなかった場合は、分割前管理情報に記載されている番組情報、コンテンツ開始時間及びコンテンツ終了時間等を利用して分割管理情報を検索することができる。
【００７６】
ここで、上記コンテンツ記録媒体１０への検索は、復元制御部４０にＬＡＮ等で接続された記録媒体に対して行ってもよい。ただし、分割前管理情報に対応する分割管理情報が１つも存在しなかった場合は復元が不可能となる。
【００７７】
次に、復元制御部４０の判断手段としての判断部４１にて分割管理情報の中から、分割コンテンツの記録時間が、分割前管理情報に記載されているコンテンツ開始時間からコンテンツ終了時間までに含まれる分割管理情報のみを取り出す。この時、取り出した分割コンテンツの分割管理情報のコンテンツ開始時間を比較することによって、分割コンテンツの結合順序を決定する。
【００７８】
図５は、分割コンテンツＡ・Ｂ・Ｃ・Ｄ・Ｅから復元に必要な分割コンテンツＤ・Ｂ・Ｅを取り出し、結合順序を、分割コンテンツＤ・Ｂ・Ｅであると決定したことを表している。
【００７９】
すなわち、分割コンテンツＡ・Ｂ・Ｃ・Ｄ・Ｅから復元したい分割前コンテンツのコンテンツ開始時間とコンテンツ終了時間とに合致した分割コンテンツＢ・Ｄ・Ｅが取り出される。その後、取り出された３つの各分割コンテンツＢ・Ｄ・Ｅのコンテンツ開始時間を比較することによって、結合順序が分割コンテンツＤ・Ｂ・Ｅであると決定される。また、復元制御部４０は、分割前コンテンツへの復元に必要な分割コンテンツが欠落していた場合の欠落している部分に対する欠落情報を作成する。
【００８０】
図６は、分割コンテンツが欠落していた場合の例を表している。すなわち、分割前管理情報の記録時間を基に分割コンテンツＢ・Ｄ・Ｅを取り出す際に、分割コンテンツの一部である例えば分割コンテンツＢが欠落していた場合は、欠落している分割コンテンツＢのコンテンツ開始時間ＯＳＴ、コンテンツ終了時間ＯＥＴ及び欠落部分のコンテンツ情報（ビットレート、フレームレート等）を分割前管理情報と欠落部分の前後の分割コンテンツの分割管理情報とを基に欠落情報として取り出す。その後、復元制御部４０は、コンテンツ処理部２２に復元に必要な分割コンテンツＢ・Ｄ・Ｅのコンテンツ情報、復元順序の情報及び欠落情報を結合命令と共に送る。ここで、コンテンツ情報とは、復元に必要な分割コンテンツＢ・Ｄ・Ｅを特定するための情報である。また、管理情報処理部２３に、分割前管理情報と欠落情報とを送る。
【００８１】
コンテンツ処理部２２は、結合命令を受け取ると、コンテンツ情報に対応する分割コンテンツをコンテンツ制御部２１から受け取る。次に、欠落情報と復元順序の情報とにしたがって分割コンテンツＢ・Ｄ・Ｅを結合することにより復元コンテンツを得る。
【００８２】
ここで、欠落情報がなかった場合は、図７（ａ）に示すように、復元順序にしたがい、分割コンテンツＤ・Ｂ・Ｅを結合順序にしたがって結合する。一方、例えば分割コンテンツＢの欠落情報があった場合は、図７（ｂ）に示すように、欠落部分にダミーのコンテンツを挿入して分割コンテンツＤ・ダミーコンテンツＤＭ・分割コンテンツＥの結合を行うこともできるし、図７（ｃ）に示すように、欠落部分である分割コンテンツＢを無視して分割コンテンツＤ・Ｅを結合することもできる。
【００８３】
ダミーコンテンツＤＭの挿入は、欠落情報に存在する欠落部分の開始時間から終了時間までの長さのコンテンツを作成し、分割コンテンツＤ・ＥとダミーコンテンツＤＭとを結合順序にしたがって結合することにより行われる。この補間処理は、復元制御部４０の補間手段としての補間部４２が行なう。
【００８４】
ダミーコンテンツＤＭとしては、信号のない黒画面を表示するようなコンテンツでも良いし、予め用意されたコンテンツを利用しても良い。図７（ｂ）に示すように、ダミーコンテンツＤＭを利用した結合により復元コンテンツを得た場合は、欠落情報を保存しておくことによって、復元コンテンツを作成した後に、ユーザーの希望により、図７（ｃ）に示すように、欠落部分を無視した復元コンテンツに置き換えることができる。この前詰め処理は、復元制御部４０の前詰め手段としての前詰め部４３が行なう。分割コンテンツの結合が行われた後に、結合された復元コンテンツはコンテンツ制御部２１に送られる。
【００８５】
管理情報処理部２３は、欠落情報がない場合やコンテンツ処理部２２によりダミーコンテンツＤＭを利用した分割コンテンツの復元を行った場合には、復元制御部４０から受け取った分割前管理情報をそのまま復元管理情報としてコンテンツ制御部２１に送る。また、欠落情報があり、コンテンツ処理部２２により欠落情報を無視した分割コンテンツの復元が行われた場合には、欠落情報を基に分割前管理情報に対して編集を行う。分割前管理情報の編集は、分割前管理情報に記録されているコンテンツの開始時間、終了時間及び録画時間等のコンテンツの時間情報が、欠落部分が無視されかつ欠落部分の前後のコンテンツが連続するように時間情報を変更することにより行われる。管理情報処理部２３はその後、編集された分割前管理情報を復元管理情報としてコンテンツ制御部２１に送る。
【００８６】
コンテンツ制御部２１は、コンテンツ処理部２２及び管理情報処理部２３により送られた復元コンテンツと復元管理情報とを復元したコンテンツとしてコンテンツ記録媒体１０に記録する。
【００８７】
ところで、本実施の形態のコンテンツ分割・復元装置のコンテンツ編集部２０、管理情報記録部３０、及び復元制御部４０や各処理ステップは、ＣＰＵ等の演算手段が、ＲＯＭ（Read Only Memory）やＲＡＭ等の記憶手段に記憶されたプログラムを実行し、キーボード等の入力手段、ディスプレイ等の出力手段、或いは、インターフェース回路等の通信手段を制御することにより実現することができる。したがって、これらの手段を有するコンピュータが、上記プログラムを記録した記録媒体を読み取り、当該プログラムを実行するだけで、本実施形態のコンテンツ分割・復元装置の各種機能及び各種処理を実現することができる。また、上記プログラムをリムーバブルな記録媒体に記録することにより、任意のコンピュータ上で上記の各種機能及び各種処理を実現することができる。
【００８８】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【００８９】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【００９０】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【００９１】
また、インターネットを含む通信ネットワークを接続可能なシステム構成であれば、通信ネットワークからプログラムをダウンロードするように流動的にプログラムを担持する記録媒体であることが好ましい。
【００９２】
さらに、このように通信ネットワークからプログラムをダウンロードする場合には、そのダウンロード用のプログラムは予め本体装置に格納しておくか、あるいは別な記録媒体からインストールされるものであることが好ましい。
【００９３】
このように、本実施の形態のコンテンツ分割・復元装置では、管理情報処理部２３は、分割前コンテンツの分割時に、コンテンツ記録媒体１０に記録されている分割前コンテンツの分割前管理情報を管理情報記録部３０に記録する。したがって、編集等により分割前コンテンツが分割される際に、分割前コンテンツの分割前管理情報を保存しておくことにより、分割コンテンツを復元することができる。
【００９４】
この結果、複数に分割された分割コンテンツを元の１つの分割前コンテンツに完全に復元し得るコンテンツ分割・復元装置及びコンテンツ分割方法を提供することができる。
【００９５】
また、本実施の形態のコンテンツ分割・復元装置では、分割前コンテンツの管理情報を記録した管理情報記録部３０と、分割コンテンツの復元時に、管理情報記録部３０に記録された分割前コンテンツの分割管理情報に基づいて分割コンテンツの復元可能性を判断した後、上記分割コンテンツを復元する復元制御部４０とが設けられている。
【００９６】
それゆえ、編集等により分割前コンテンツが分割される際に、分割前コンテンツの分割前管理情報を保存しておくことにより、分割コンテンツを復元することができる。この結果、複数に分割された分割コンテンツを元の１つの分割前コンテンツに完全に復元し得るコンテンツ分割・復元装置及びコンテンツ復元方法を提供することができる。
【００９７】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９８】
本発明は、編集により分割された複数のコンテンツを１つのコンテンツに復元するコンテンツ分割装置、コンテンツ復元装置、及びコンテンツ分割方法、コンテンツ復元方法、並びにプログラム、記録媒体に関するものである。したがって、例えば、テレビ放送を録画するためのレコーダー等に適用することができる。
【図面の簡単な説明】
【００９９】
【図１】（ａ）は本発明におけるコンテンツ復元装置の実施の一形態を示すブロック図であり、（ｂ）は上記コンテンツ復元装置のコンテンツ編集部の構成を示すブロック図である。
【図２】上記コンテンツ復元装置における、コンテンツの分割処理に伴う各ブロック間の情報及びデータの伝達処理を示すブロック図である。
【図３】１つの分割前コンテンツを３つの分割コンテンツに分割した状態を示す図である。
【図４】分割コンテンツの復元処理に伴う各ブロック間の情報及びデータの伝達処理を示すブロック図である。
【図５】分割コンテンツの復元に際して、分割コンテンツの取得と結合順序の取得方法とを示す図である。
【図６】分割コンテンツの復元に際して、分割コンテンツが欠落していたときの分割コンテンツを示す図である。
【図７】分割コンテンツを結合したときの復元コンテンツを示す図である。
【図８】従来のコンテンツの部分的なムーブとその後のコンテンツの復元とを示す図である。
【符号の説明】
【０１００】
１    分割前コンテンツ、復元コンテンツ
２    分割前管理情報
１０    コンテンツ記録媒体（記録媒体）
２０    コンテンツ編集部
２１    コンテンツ制御部
２２    コンテンツ処理部
２３    管理情報処理部（管理情報処理手段）
３０    管理情報記録部（管理情報記録手段）
４０    復元制御部（復元制御手段）
４１    判断部（判断手段）
４２    補間部（補間手段）
４３    前詰め部（前詰め手段）
【図１】
2006338779.tif 000003
【図２】
2006338779.tif 000004
【図３】
2006338779.tif 000005
【図４】
2006338779.tif 000006
【図５】
2006338779.tif 000007
【図６】
2006338779.tif 000008
【図７】
2006338779.tif 000009
【図８】
2006338779.tif 000010